【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
商品登録装置と決済装置とを含んだチェックアウトシステムであって、
前記商品登録装置は、
買上商品の商品コードを取得し、一取引分の買上商品のリストを生成する第１の生成手段と、
前記第１の生成手段により生成された前記リストを含んだ決済情報を生成する第２の生成手段と、
電子レシートサービスの利用者を識別する利用者コードを取得する第１の取得手段と、
前記第２の生成手段により生成された前記決済情報を、前記第１の取得手段により前記利用者コードが取得された場合には当該利用者コードとともに、前記決済装置へと通知する通知手段と、
を具備し、
前記決済装置は、
前記通知手段により通知された前記決済情報に基づいて決済処理を行う決済手段と、
前記利用者コードを取得する第２の取得手段と、
前記決済手段による決済処理の対象となった取引に関するレシートに記載する情報を含んだレシート情報を生成する第３の生成手段と、
前記通知手段により前記利用者コードが通知されていない場合に、前記第２の取得手段に前記利用者コードを取得させるように操作者に案内する案内表示と、前記決済処理に適用する決済方法を前記操作者に選択させるための選択表示とを行い、前記通知手段により前記利用者コードが通知されている場合に、前記案内表示を行うことなく、前記選択表示を行う表示手段と、
前記決済方法が前記操作者により選択され、前記通知手段により前記利用者コードが通知されておらず、かつ前記第２の取得手段により前記利用者コードが取得されていない場合に、前記レシートの発行のために、前記レシート情報に含まれた情報をレシート用紙に印刷する印刷手段と、
前記決済方法が前記操作者により選択され、前記通知手段により前記利用者コードが通知されているか、あるいは前記通知手段により前記利用者コードが通知されていないが前記第２の取得手段により前記利用者コードが取得されている場合に、当該利用者コードと前記レシート情報に含まれた情報とを、前記レシート情報に含まれた情報を前記利用者コードに関連付けて管理する管理装置に送信する送信手段と、
を具備することを特徴とするチェックアウトシステム。
【請求項２】
一取引分の買上商品のリストを含んだ決済情報を生成する商品登録装置とともにチェックアウトシステムを構成する決済装置であって、
前記商品登録装置より前記決済情報が通知された場合に、当該決済情報に基づいて決済処理を行う決済手段と、
電子レシートサービスの利用者を識別する利用者コードを取得する第２の取得手段と、
前記決済手段による決済処理の対象となった取引に関するレシートに記載する情報を含んだレシート情報を生成する第３の生成手段と、
前記通知手段により前記利用者コードが通知されていない場合に、前記第２の取得手段に前記利用者コードを取得させるように操作者に案内する案内表示と、前記決済処理に適用する決済方法を前記操作者に選択させるための選択表示とを行い、前記通知手段により前記利用者コードが通知されている場合に、前記案内表示を行うことなく、前記選択表示を行う表示手段と、
前記決済方法が前記操作者により選択され、前記商品登録装置より前記利用者コードが通知されておらず、かつ前記第２の取得手段により前記利用者コードが取得されていない場合に、前記レシートの発行のために、前記レシート情報に含まれた情報をレシート用紙に印刷する印刷手段と、
前記決済方法が前記操作者により選択され、前記商品登録装置より前記利用者コードが通知されているか、あるいは前記商品登録装置より前記利用者コードが通知されていないが前記第２の取得手段により前記利用者コードが取得されている場合に、当該利用者コードと前記レシート情報に含まれた情報とを、前記レシート情報に含まれた情報を前記利用者コードに関連付けて管理する管理装置に送信する送信手段と、
を具備することを特徴とする決済装置。
【請求項３】
前記第２の取得手段は、バーコードがかざされたことに応じて、当該バーコードを読み取って、当該バーコードが表す利用者コードを前記電子レシートサービスの利用者を識別する利用者コードとして取得し、
前記表示手段は、前記利用者コードを表すバーコードをかざすよう前記操作者に促すメッセージを前記案内表示とする、
請求項２に記載の決済装置。
【請求項４】
前記表示手段は、前記通知手段により前記利用者コードが通知されている場合に、前記案内表示を表さずに前記選択表示を表して前記操作者による操作を受け付けるための第１の選択画面を表示し、前記通知手段により前記利用者コードが通知されていない場合に、前記選択表示と前記案内表示とを一画面内に表して前記第１の選択画面と同じ操作を受け付けるための第２の選択画面を表示する、
請求項２又は請求項３に記載の決済装置。
【請求項５】
前記第３の生成手段は、前記商品登録装置から前記利用者コードが通知されるか、あるいは前記第２の取得手段により前記利用者コードが取得されたならば、当該利用者コードを前記レシート情報に含め、
前記印刷手段は、前記レシート情報に前記利用者コードが含まれない場合に、前記レシート情報に含まれた情報をレシート用紙に印刷し、
前記送信手段は、前記レシート情報に前記利用者コードが含まれる場合に、当該レシート情報を前記管理装置に送信する、ことを特徴とする請求項２−４のいずれか一項に記載の決済装置。
【請求項６】
一取引分の買上商品のリストを含んだ決済情報を生成する商品登録装置とともにチェックアウトシステムを構成するものであって、プリンタ及び通信デバイスを備えた決済装置を制御するコンピュータを、
前記商品登録装置より前記決済情報が通知された場合に、当該決済情報に基づいて決済処理を行う決済手段と、
電子レシートサービスの利用者を識別する利用者コードを取得する第２の取得手段と、
前記決済手段による決済処理の対象となった取引に関するレシートに記載する情報を含んだレシート情報を生成する第３の生成手段と、
前記通知手段により前記利用者コードが通知されていない場合に、前記第２の取得手段に前記利用者コードを取得させるように操作者に案内する案内表示と、前記決済処理に適用する決済方法を前記操作者に選択させるための選択表示とを行い、前記通知手段により前記利用者コードが通知されている場合に、前記案内表示を行うことなく、前記選択表示を行う表示手段と、
前記決済方法が前記操作者により選択され、前記商品登録装置より前記利用者コードが通知されておらず、かつ前記第２の取得手段により前記利用者コードが取得されていない場合に、前記レシートの発行のために、前記レシート情報に含まれた情報をレシート用紙に印刷するように前記プリンタを制御する印刷制御手段と、
前記決済方法が前記操作者により選択され、前記商品登録装置より前記利用者コードが通知されているか、あるいは前記商品登録装置より前記利用者コードが通知されていないが前記第２の取得手段により前記利用者コードが取得されている場合に、当該利用者コードと前記レシート情報に含まれる情報とを、前記レシート情報に含まれる情報を前記利用者コードに関連付けて管理する管理装置に送信するように前記通信デバイスを制御する送信制御手段と、して機能させるための制御プログラム。
【請求項７】
商品登録装置と決済装置とを含んだチェックアウトシステムでのチェックアウト処理方法であって、
前記商品登録装置では、
買上商品の商品コードを取得し、一取引分の買上商品のリストを生成し、
生成された前記リストを含んだ決済情報を生成し、
電子レシートサービスの利用者を識別する利用者コードを取得し、
生成された前記決済情報を、前記利用者コードが取得された場合には当該利用者コードとともに、前記決済装置へと通知し、
前記決済装置では、
前記商品登録装置から通知された前記決済情報に基づいて決済処理を行い、
前記決済処理の対象となった取引に関するレシートに記載する情報を含んだレシート情報を生成し、
前記利用者コードが前記商品登録装置から通知されていない場合に、前記利用者コードを取得させるように操作者に案内する案内表示と、前記決済処理に適用する決済方法を前記操作者に選択させるための選択表示とを行い、前記商品登録装置から前記利用者コードが通知されている場合に、前記案内表示を行うことなく、前記選択表示を行い、
前記案内表示ののちに前記利用者コードの取得を試み、
前記決済方法が前記操作者により選択され、前記商品登録装置から前記利用者コードが通知されておらず、かつ前記案内表示ののちに前記利用者コードが取得されていない場合に、前記レシートの発行のために、前記レシート情報に含まれた情報をレシート用紙に印刷し、
前記決済方法が前記操作者により選択され、前記商品登録装置から前記利用者コードが通知されているか、あるいは前記商品登録装置から前記利用者コードが通知されていないが前記案内表示ののちに前記利用者コードが取得されている場合に、当該利用者コードと前記レシート情報に含まれた情報とを、前記レシート情報に含まれた情報を前記利用者コードに関連付けて管理する管理装置に送信する、
チェックアウト処理方法。
【手続補正２】
【補正対象書類名】明細書
【補正対象項目名】発明の名称
【補正方法】変更
【補正の内容】
【発明の名称】チェックアウトシステム、決済装置、チェックアウト処理方法及び制御プログラム
【手続補正３】
【補正対象書類名】明細書
【補正対象項目名】０００１
【補正方法】変更
【補正の内容】
【０００１】
本発明の実施形態は、チェックアウトシステム、決済装置、チェックアウト処理方法及び制御プログラムに関する。
【手続補正４】
【補正対象書類名】明細書
【補正対象項目名】０００８
【補正方法】変更
【補正の内容】
【０００８】
本発明が解決しようとする課題は、電子レシートを適用することの指定が行える決済装置及びその制御プログラムと、そのような決済装置を含んだチェックアウトシステムと、チェックアウト処理方法とを提供することにある。
【手続補正５】
【補正対象書類名】明細書
【補正対象項目名】０００９
【補正方法】変更
【補正の内容】
【０００９】
実施形態のチェックアウトシステムは、第１の生成手段、第２の生成手段、第１の取得手段及び通知手段を備える商品登録装置と、決済手段、第２の取得手段、第３の生成手段、印刷手段及び送信手段を備える決済装置とを含む。第１の生成手段は、買上商品の商品コードを取得し、一取引分の買上商品のリストを生成する。第２の生成手段は、第１の生成手段により生成されたリストを含んだ決済情報を生成する。通知手段は、電子レシートサービスの利用者を識別する利用者コードを取得する。通知手段は、第２の生成手段により生成された決済情報を、第１の取得手段により利用者コードが取得された場合には当該利用者コードとともに、決済装置へと通知する。決済手段は、通知手段により通知された決済情報に基づいて決済処理を行う、第２の取得手段は、利用者コードを取得する。第３の生成手段は、決済手段による決済処理の対象となった取引に関するレシートに記載する情報を含んだレシート情報を生成する。表示手段は、通知手段により利用者コードが通知されていない場合に、第２の取得手段に利用者コードを取得させるように操作者に案内する案内表示と、決済処理に適用する決済方法を操作者に選択させるための選択表示とを行い、通知手段により利用者コードが通知されている場合に、案内表示を行うことなく、選択表示を行う。印刷手段は、決済方法が操作者により選択され、通知手段により利用者コードが通知されておらず、かつ第２の取得手段により利用者コードが取得されていない場合に、レシートの発行のために、レシート情報に含まれた情報をレシート用紙に印刷する。送信手段は、決済方法が操作者により選択され、通知手段により利用者コードが通知されているか、あるいは通知手段により利用者コードが通知されていないが第２の取得手段により利用者コードが取得されている場合に、当該利用者コードとレシート情報に含まれた情報とを、レシート情報に含まれた情報を利用者コードに関連付けて管理する管理装置に送信する。